(57)【要約】      （修正有）【課題】インターネット網、電話回線網を効率的に利用し、贈答主、贈答先の双方に十分な満足度を与えることができ、システム運用側も効率よく贈答品販売を実施できる音声メッセージ付き贈答品の処理システムを提供する。【解決手段】贈答品処理装置１は、インターネット網３１を通じて贈答主側のコンピュータ端末２１又はＩＰ対応携帯電話２２から録音再生機能付き贈答品の注文を受注するとともに、電話回線網３２を通じて贈答主側の一般電話２３又は携帯電話２４から贈答先に対する贈答主の音声メッセージを受信して、当該録音再生機能付き贈答品４０に対して贈答主の音声メッセージを録音して音声メッセージ付き贈答品４０Ａとして贈答先へ配送処理する構成とした。【選択図】図１
0003127929.tif 000002
【実用新案登録請求の範囲】
【請求項１】
贈答主側のコンピュータ端末と、贈答主側の電話と、贈答品管理センター側の贈答品受注処理機能、音声メッセージ録音処理機能を有する贈答品処理装置と、前記贈答主側のコンピュータ端末、電話と前記贈答品処理装置とを接続するインターネット網、電話回線網からなる通信網とを含み、贈答主から前記贈答品処理装置を介して贈答先へ録音再生機能付き贈答品を贈答処理する音声メッセージ付き贈答品の処理システムであって、
前記贈答品処理装置は、前記インターネット網を通じて贈答主側のコンピュータ端末から録音再生機能付き贈答品の注文を受注するとともに、前記電話回線網を通じて贈答主側の電話から贈答先に対する贈答主の音声メッセージを受信して、当該録音再生機能付き贈答品に対して前記贈答主の音声メッセージを録音して音声メッセージ付き贈答品として贈答先へ配送処理すること、
を特徴とする音声メッセージ付き贈答品の処理システム。
【請求項２】
贈答主側のコンピュータ端末又は携帯電話と、贈答主側の一般電話又は携帯電話と、贈答品管理センター側の贈答品受注処理機能、音声メッセージ録音処理機能を有する贈答品処理装置と、前記贈答主側のコンピュータ端末又は携帯電話、前記一般電話又は携帯電話と前記贈答品処理装置とを接続するインターネット網及び電話回線網からなる通信網とを含み、贈答主から前記贈答品処理装置を介して贈答先へ録音再生機能付き贈答品を贈答処理する音声メッセージ付き贈答品の処理システムであって、
前記贈答品処理装置は、前記インターネット網を通じて贈答主側のコンピュータ端末又は携帯電話から録音再生機能付き贈答品の注文を受注するとともに、前記電話回線網を通じて贈答主側の一般電話又は携帯電話から贈答先に対する贈答主の音声メッセージを受信して、当該録音再生機能付き贈答品に対して前記贈答主の音声メッセージを録音して音声メッセージ付き贈答品として贈答先へ配送処理すること、
を特徴とする音声メッセージ付き贈答品の処理システム。
【請求項３】
贈答主側のコンピュータ端末又はＩＰ対応携帯電話と、贈答主側の一般電話又は携帯電話と、贈答品管理センター側の贈答品受注処理機能、音声メッセージ録音処理機能を有する贈答品処理装置と、前記贈答主側のコンピュータ端末又はＩＰ対応携帯電話、前記一般電話又は携帯電話と前記贈答品処理装置とを接続するインターネット網及び電話回線網からなる通信網とを含み、贈答主から前記贈答品処理装置を介して贈答先へ録音再生機能付き贈答品を贈答処理する音声メッセージ付き贈答品の処理システムであって、
前記贈答品処理装置は、
録音再生機能付き贈答品情報を贈答主のコンピュータ端末又はＩＰ対応携帯電話に対して提供するＷｅｂサーバと、
贈答主のコンピュータ端末又はＩＰ対応携帯電話からの注文データ、贈答先データのメール受信、贈答主のコンピュータ端末又はＩＰ対応携帯電話に対する音声メッセージ案内メールの送信を行うメールサーバと、
贈答主からの前記注文データ、贈答先データを登録するユーザ登録部と、
当該贈答主に関する録音再生機能付き贈答品の代金決済処理を行う決済サーバと、
前記音声メッセージ案内メールに基づいて贈答主の一般電話又は携帯電話から送信される音声データによる贈答主の認証処理を行う認証処理部と、
認証済みの贈答主からの音声メッセージデータを記録する録音データ記録部と、
贈答主からの注文データと認証済みの贈答主からの音声メッセージデータとの照合を行う照合部と、
録音再生機能付き贈答品に対して認証済みの贈答主の音声メッセージを録音し音声メッセージ付き贈答品とする録音部と、
音声メッセージ付き贈答品の贈答先への配送処理を行う発送処理部と、
を含むことを特徴とする音声メッセージ付き贈答品の処理システム。
【請求項４】
贈答品本体の各所に、録音スイッチ、再生スイッチ、マイク、贈答用の音声メッセージが録音されているともに前記録音スイッチ、再生スイッチの操作に応じて音声メッセージの録音、再生処理を繰り返し行う録音再生処理部、発音部及び駆動用電源を配置したことを特徴とする音声メッセージ付き贈答品。
【請求項５】
動物人形形状とした贈答品本体の各所に、録音スイッチ、再生スイッチ、マイク、贈答用の音声メッセージが録音されているともに前記録音スイッチ、再生スイッチの操作に応じて音声メッセージの録音、再生処理を繰り返し行う録音再生処理部、発音部及び駆動用電源を配置したことを特徴とする音声メッセージ付き贈答品。
【請求項６】
四つ足動物人形形状とした贈答品本体の左前足部分に録音スイッチ、右前足部分に再生スイッチ、左後足部分にマイク、右後足部分にスピーカを配置し、前記贈答品本体の内部に、贈答用の音声メッセージが録音されているともに前記録音スイッチ、再生スイッチの操作に応じて音声メッセージの録音、再生処理を繰り返し行う録音再生処理部、必要な電力供給を行う駆動用電源を配置したことを特徴とする音声メッセージ付き贈答品。
【請求項７】
四つ足動物人形形状とした贈答品本体の左前足部分に録音スイッチ、右前足部分に再生スイッチ、左後足部分にマイク、右後足部分にスピーカを配置し、前記贈答品本体の内部に、贈答用の音声メッセージが録音されているともに前記録音スイッチ、再生スイッチの操作に応じて音声メッセージの録音、再生処理を繰り返し行う録音再生処理部、必要な電力供給を行う駆動用電源を配置し、前記贈答品本体の右前足で贈答用メッセージを記載した紙片を収容する筒体を抱え込んだことを特徴とする音声メッセージ付き贈答品。
【考案の詳細な説明】
【技術分野】
【０００１】
本考案は、音声メッセージ付き贈答品の処理システム及び音声メッセージ付き贈答品に関するものである。
【背景技術】
【０００２】
例えば、贈答主から贈答先へ贈答品を送る場合、通常はデパート等の販売店に赴き、贈答品を選定し、「誕生日おめでとう」等の文字を付したカード等を添えて贈答先へ送ることが行われている。
【０００３】
近年では、インターネット網等を利用し、自宅のコンピュータ端末からオンラインで販売店のコンピュータにアクセスしてオンラインショッピングの手法により贈答品を注文し贈答先へ当該贈答品を送ることも行われている。
【０００４】
特許文献１には、配送品送り主が、贈答品等の配送品に多くの情報を記録したＩＣタグを添付して配送品受取者に送るように構成した付加情報表示システムが提案されている。
しかし、この特許文献１の場合、インターネット網、電話回線網を効率的に利用し、贈答主、贈答先の双方に十分な満足度を与えることができ、システム運用側も効率よく贈答品販売を実施できるようには必ずしもなってはいない。
【０００５】
特許文献２には、小鳥人形に録音再生装置と、ペットの小鳥がつつくとき信号を発するセンサとを搭載し、センサの信号により録音再生装置に予め録音した音声を再生するように構成した小鳥用録音再生玩具が提案されている。
しかし、この特許文献２の場合、主として小鳥がつついた場合に予め録音した音声を再生するように構成したものであり、贈答先において必ずしも十分な満足度を得られるようにはなっていない。
【特許文献１】特開２００５−１７８９３８号公報
【特許文献２】特開２００２−１４２６０２号公報
【考案の開示】
【考案が解決しようとする課題】
【０００６】
本考案が解決しようとする問題点は、インターネット網、電話回線網を効率的に利用し、贈答主、贈答先の双方に十分な満足度を与えることができ、システム運用側も効率よく贈答品販売を実施できる音声メッセージ付き贈答品の処理システム、音声メッセージ付き贈答品が存在しない点である。
【課題を解決するための手段】
【０００７】
本考案に係る音声メッセージ付き贈答品の処理システムは、贈答主側のコンピュータ端末と、贈答主側の電話と、贈答品管理センター側の贈答品受注処理機能、音声メッセージ録音処理機能を有する贈答品処理装置と、前記贈答主側のコンピュータ端末、電話と前記贈答品処理装置とを接続するインターネット網、電話回線網からなる通信網とを含み、贈答主から前記贈答品処理装置を介して贈答先へ録音再生機能付き贈答品を贈答処理する音声メッセージ付き贈答品の処理システムであって、前記贈答品処理装置は、前記インターネット網を通じて贈答主側のコンピュータ端末から録音再生機能付き贈答品の注文を受注するとともに、前記電話回線網を通じて贈答主側の電話から贈答先に対する贈答主の音声メッセージを受信して、当該録音再生機能付き贈答品に対して前記贈答主の音声メッセージを録音して音声メッセージ付き贈答品として贈答先へ配送処理することを最も主要な特徴とする。
【考案の効果】
【０００８】
請求項１記載の考案によれば、贈答主においては、コンピュータ端末と電話とを効率的に使用して、自己が選定し、且つ、自己の気持ちを含ませた所望の音声メッセージ付き贈答品を贈答品管理センター側の贈答品処理装置を通じて贈答先に送ることができ、贈答先では、単に贈答品を受け取るだけでなく、贈答主の音声メッセージも聞けることから、贈答品を受け取った際の喜び、満足感を一層享受することができ、更には、贈答品処理装置を運用する贈答品管理センター側でも贈答主（ユーザ）から効率よく録音再生機能付き贈答品の注文を受注し、音声メッセージ付き贈答品として贈答先へ配送処理することができ、録音再生機能付き贈答品の売上向上を図ることができる音声メッセージ付き贈答品の処理システムを提供することができる。
【０００９】
請求項２記載の考案によれば、贈答主側のコンピュータ端末又は携帯電話と、贈答主側の一般電話又は携帯電話とを効率的に使用して、請求項１記載の考案の場合と同様、自己が選定し、且つ、自己の気持ちを含ませた所望の音声メッセージ付き贈答品を贈答品管理センター側の贈答品処理装置を通じて贈答先に送ることができ、贈答先では、単に贈答品を受け取るだけでなく、贈答主の音声メッセージも聞けることから、贈答品を受け取った際の喜び、満足感を一層享受することができ、更には、贈答品処理装置を運用する贈答品管理センター側でも贈答主（ユーザ）から効率よく録音再生機能付き贈答品の注文を受注し、音声メッセージ付き贈答品として贈答先へ配送処理することができ、録音再生機能付き贈答品の売上向上を図ることができる音声メッセージ付き贈答品の処理システムを提供することができる。
【００１０】
請求項３記載の考案によれば、贈答主側のコンピュータ端末又はＩＰ対応携帯電話と、贈答主側の一般電話又は携帯電話とを効率的に使用し、Ｗｅｂサーバ、メールサーバ、決済サーバ、認証部、録音部、発送処理部等を有する管理センター側の贈答品処理装置を通じて自己が選定し、且つ、自己の気持ちを含ませた所望の音声メッセージ付き贈答品を贈答先に送ることができ、贈答先では、単に贈答品を受け取るだけでなく、贈答主の音声メッセージも聞けることから、贈答品を受け取った際の喜び、満足感を一層享受することができ、更には、贈答品処理装置を運用する贈答品管理センター側でも贈答主（ユーザ）から効率よく録音再生機能付き贈答品の注文を受注し、音声メッセージ付き贈答品として贈答先へ配送処理することができ、録音再生機能付き贈答品の売上向上を図ることができる音声メッセージ付き贈答品の処理システムを提供することができる。
【００１１】
請求項４記載の考案によれば、贈答品本体の各所に、録音スイッチ、再生スイッチ、マイク、贈答用の音声メッセージが録音されているともに前記録音スイッチ、再生スイッチの操作に応じて音声メッセージの録音、再生処理を繰り返し行う録音再生処理部、発音部及び駆動用電源を配置したものであるから、贈答主は贈答先への贈答に伴う自己の気持ちを音声にて贈答先に伝えることができ、贈答先においては、単に前記贈答品を受け取るだけでなく、贈答主の音声メッセージも聞けることから、前記贈答品を受け取った際の喜び、満足感を一層享受することができる音声メッセージ付き贈答品を提供することができる。
【００１２】
請求項５記載の考案によれば、前記音声メッセージ付き贈答品を四つ足動物人形形状とした構成で、請求項４記載の考案と同様な効果を奏する音声メッセージ付き贈答品を提供することができる。
【００１３】
請求項６記載の考案によれば、四つ足動物人形形状とした贈答品本体の左前足部分に録音スイッチ、右前足部分に再生スイッチ、左後足部分にマイク、右後足部分にスピーカを配置し、前記贈答品本体の内部に、贈答用の音声メッセージが録音されているともに前記録音スイッチ、再生スイッチの操作に応じて音声メッセージの録音、再生処理を繰り返し行う録音再生処理部、必要な電力供給を行う駆動用電源を配置した構成で、贈答主は贈答先への贈答に伴う自己の気持ちを音声にて贈答先に伝えることができ、贈答先においては、単に前記贈答品を受け取るだけでなく、贈答主の音声メッセージも聞けることから、前記贈答品を受け取った際の喜び、満足感を一層享受することができ、更に、贈答先において何時でも左前足部分に録音スイッチ、右前足部分に再生スイッチ、左後足部分にマイクを操作して自己の音声を録音再生処理部に録音し再生して楽しんだり、この贈答品本体を置物として楽しんだりすることができる音声メッセージ付き贈答品を提供することができる。
【００１４】
請求項７記載の考案によれば、請求項６記載の考案の効果に加え、贈答品本体の右前足で贈答用メッセージを記載した紙片を収容する筒体を抱え込んだ構成としているので、音声メッセージの他に文章にて贈答主の気持ちを贈答先に伝えることができる音声メッセージ付き贈答品を提供することができる。
【考案を実施するための最良の形態】
【００１５】
本考案は、インターネット網、電話回線網を効率的に利用し、贈答主、贈答先の双方に十分な満足度を与えることができ、システム運用側も効率よく贈答品販売を実施できる音声メッセージ付き贈答品の処理システムを提供するという目的を、贈答主側のコンピュータ端末又はＩＰ対応携帯電話と、贈答主側の一般電話又は携帯電話と、贈答品管理センター側の贈答品受注処理機能、音声メッセージ録音処理機能を有する贈答品処理装置と、前記贈答主側のコンピュータ端末又はＩＰ対応携帯電話、前記一般電話又は携帯電話と前記贈答品処理装置とを接続するインターネット網及び電話回線網からなる通信網とを含み、贈答主から前記贈答品処理装置を介して贈答先へ録音再生機能付き贈答品を贈答処理する音声メッセージ付き贈答品の処理システムであって、前記贈答品処理装置は、録音再生機能付き贈答品情報を贈答主のコンピュータ端末又はＩＰ対応携帯電話に対して提供するＷｅｂサーバと、贈答主のコンピュータ端末又はＩＰ対応携帯電話からの注文データ、贈答先データのメール受信、贈答主のコンピュータ端末又はＩＰ対応携帯電話に対する音声メッセージ案内メールの送信を行うメールサーバと、贈答主からの前記注文データ、贈答先データを登録するユーザ登録部と、当該贈答主に関する録音再生機能付き贈答品の代金決済処理を行う決済サーバと、前記音声メッセージ案内メールに基づいて贈答主の一般電話又は携帯電話から送信される音声データによる贈答主の認証処理を行う認証処理部と、認証済みの贈答主からの音声メッセージデータを記録する録音データ記録部と、贈答主からの注文データと認証済みの贈答主からの音声メッセージデータとの照合を行う照合部と、録音再生機能付き贈答品に対して認証済みの贈答主の音声メッセージを録音し音声メッセージ付き贈答品とする録音部と、音声メッセージ付き贈答品の贈答先への配送処理を行う発送処理部と、を含む構成により実現した。
【実施例】
【００１６】
以下に、本考案の実施例について図面を参照して詳細に説明する。
（実施例１）
図１乃至図５を参照して本考案の実施例１に係る音声メッセージ付き贈答品の処理システムについて説明する。
【００１７】
本実施例１に係る音声メッセージ付き贈答品の処理システムは、図１に示すように、例えば、詳細は後述するが例えば虎のような四つ足動物人形形状の形態とした録音再生機能付き贈答品４０を贈答先に送ることを欲する贈答主側のコンピュータ端末２１又はＩＰ（インターネット）対応携帯電話２２と、贈答主側の一般電話２３又は携帯電話２４と、この処理システムを運用する贈答品管理センター側のＣＧＩ（シージーアイ；Common Gateway Interface）対応の贈答品処理装置１と、これらの間を接続し、各種データの交信を行うインターネット網３１及び携帯電話網３２、電話回線網３３からなる通信網３０とを含んでいる。
【００１８】
前記贈答品処理装置１は、Ｗｅｂサイトを通じて各種、各形態の録音再生機能付き贈答品４０の情報を贈答主のコンピュータ端末２１又はＩＰ対応携帯電話２２に提供するＷｅｂサーバ２と、贈答主のコンピュータ端末２１又はＩＰ対応携帯電話２２からの図３に示すような贈答品４０に関する贈答主データ（氏名、住所、クレジット番号）、録音再生機能付き贈答品４０を特定する申込番号、贈答先データ（贈答先の氏名、住所等）を含む注文データのメール受信、及び贈答主のコンピュータ端末２１又はＩＰ対応携帯電話２２に対する図４に示すような音声メッセージ案内メール（指定電話番号、申込電話番号、申込番号を表示）の送信を行うメールサーバ３と、贈答主のコンピュータ端末２１又はＩＰ対応携帯電話２２からの前記贈答主データ、申込番号、贈答先データを登録するユーザ登録部４と、当該贈答主に関する録音再生機能付き贈答品４０の代金決済処理を前記クレジット番号を使用しクレジット会社のクレジット会社端末５と交信して行う決済サーバ６と、前記音声メッセージ案内メールに基づいて贈答主の一般電話２３又は携帯電話２４からの指定電話番号への電話に伴って送信される申込電話番号、申込番号のデータを受信し、この申込電話番号、申込番号と、認証データ記録部８に予め記録した申込電話番号、申込番号のデータとにより贈答主の認証処理を行う認証処理部７と、上述した認証処理の後に贈答主の一般電話２３又は携帯電話２４に、前記電話回線網３３、携帯電話網３２を介して予め記録した所定のアナウンスデータ（例えば、図５に示すように、「認証されましたので、発信音の後に音声メッセージを送信してください」等）を送信するアナウンスデータ送信部９と、認証済みの贈答主の一般電話２３又は携帯電話２４からの図６に示すような音声メッセージデータ（例えば、「誕生日おめでとう」等）を記録する録音データ記録部１０と、贈答主からの注文データと認証済みの贈答主からの音声メッセージデータとの照合を行う照合部１１と、録音再生機能付き贈答品４０に対して認証済みの贈答主の音声メッセージを録音し音声メッセージ付き贈答品４０Ａとする録音部１２と、音声メッセージ付き贈答品４０の贈答先への配送処理（伝票処理等）を行う発送処理部（発送処理端末）１３と、前記贈答品処理装置１をインターネット網３１に接続するルータ等の通信インターフェース１４と、前記贈答品処理装置１を前記電話回線網３３に接続するモデム等の電話用通信インターフェース１５と、前記贈答品処理装置１の各要素間のデータ伝送を行うＬＡＮ（ローカルエリアネットワーク）等の内部通信網１６と、を有している。
【００１９】
次に、上述した本実施例１に係る音声メッセージ付き贈答品の処理システムによる録音再生機能付き贈答品４０に関する処理の流れを図２を参照して説明する。
【００２０】
録音再生機能付き贈答品４０を贈答先に送ることを欲する贈答主は、自己のコンピュータ端末２１又はＩＰ対応携帯電話２２を使用し、インターネット網３１を介して贈答品処理装置１のＷｅｂサーバ２にアクセスしてこのＷｅｂサーバ２が提供するＷｅｂサイトを閲覧し、各種、各形態の録音再生機能付き贈答品４０の形状、値段、申込番号等の情報を参照する。
【００２１】
そして、所望の録音再生機能付き贈答品４０が存在する場合には、贈答主は、コンピュータ端末２１又はＩＰ対応携帯電話２２のメール機能を使用し、図３に示すような前記贈答品４０に関する贈答主データ（氏名、住所、クレジット番号）、録音再生機能付き贈答品４０を特定する申込番号、贈答先データ（贈答先の氏名、住所等）を含む注文データをメールにて贈答品処理装置１に送信する。この注文データは、前記メールサーバ３にて受信され、更に前記ユーザ登録部４に登録される。
【００２２】
次に、前記贈答品処理装置１の決済サーバ６は、前記クレジット番号を使用しクレジット会社のクレジット会社端末５と交信して、当該贈答主に関する録音再生機能付き贈答品４０の代金決済処理を実行する。
【００２３】
次に、前記贈答品処理装置１のメールサーバ３は、代金決済処理後、贈答主のコンピュータ端末２１又はＩＰ対応携帯電話２２に対して、図４に示すような音声メッセージ案内メール（指定電話番号、申込電話番号、申込番号を表示）をインターネット網３１を介して送信する。
【００２４】
音声メッセージ案内メールを受信した贈答主は、前記一般電話２３又は携帯電話２４を使用し、携帯電話網３２、電話回線網３３を介して前記指定電話番号に電話をかけ、更に申込電話番号、申込番号のデータをボタン操作にて送信する。
【００２５】
贈答品処理装置１の認証処理部７は、申込電話番号、申込番号のデータを受信し、この申込電話番号、申込番号と、認証データ記録部８に予め記録した申込電話番号、申込番号のデータとにより贈答主の認証処理を実行する。
【００２６】
この認証処理にて贈答主の本人認証を確認した前記贈答品処理装置１は、次に前記アナウンスデータ送信部９から、電話回線網３３、携帯電話網３２を介して前記一般電話２３又は携帯電話２４に対して、図５に示すように、「認証されましたので、発信音の後に音声メッセージを送信してください」とのアナウンスデータを送信する。
【００２７】
このアナウンスデータを受信し当該アナウンスを聞いた一般電話２３又は携帯電話２４を所有する贈答主は、自己の一般電話２３又は携帯電話２４から図６に示すような「誕生日おめでとう」等の音声メッセージデータを電話回線網３３、携帯電話網３２を介して前記贈答品処理装置１に送信する。この音声メッセージデータは前記贈答品処理装置１の録音データ記録部１０に記録される。
【００２８】
次に、前記贈答品処理装置１の照合部１１は、既述した贈答主からの注文データと、認証済みの贈答主からの前記音声メッセージデータとの照合を行い、贈答先へ配送すべき前記贈答品４０を特定する。
【００２９】
そして、録音部１２により、録音再生機能付き贈答品４０に対して認証済みの贈答主の音声メッセージ「誕生日おめでとう」を録音し音声メッセージ付き贈答品４０Ａとする。
【００３０】
また、発送処理部１３は、当該音声メッセージ付き贈答品４０Ａの贈答先への配送処理（伝票処理等）を行う。
【００３１】
以上の一連の処理により、贈答主が指定し、所望の音声メッセージを録音した音声メッセージ付き贈答品４０Ａが前記贈答品処理装置１から贈答先（例えば友人、家族、恋人等）へ届けられることになる。
【００３２】
本実施例１に係る音声メッセージ付き贈答品の処理システムによれば、以下の効果を奏する。
【００３３】
すなわち、贈答主においては、前記コンピュータ端末２１又はＩＰ対応携帯電話２２と、前記一般電話２３又は携帯電話２４とを効率的に使用して、自己が選定し、且つ、自己の気持ちを含ませた所望の音声メッセージ付き贈答品４０Ａを贈答先に送ることができる。
【００３４】
また、贈答先では、単に贈答品４０Ａを受け取るだけでなく、贈答主の音声メッセージも聞けることから、前記贈答品４０Ａを受け取った際の喜び、満足感を一層享受することができる。
【００３５】
更に、贈答品処理装置１を運用する贈答品管理センター側では、この贈答品処理装置１を構成するコンピュータシステム、インターネット網３１、電話回線網３３等を利用して、贈答主（ユーザ）から効率よく録音再生機能付き贈答品４０の注文を受注し、音声メッセージ付き贈答品４０Ａとして贈答先へ配送処理することができ、録音再生機能付き贈答品４０の売上向上を図ることができる。
【００３６】
（実施例２）
次に、本考案の実施例２に係る音声メッセージ付き贈答品４０Ａについて図７乃至図１１を参照して説明する。
【００３７】
本実施例２に係る音声メッセージ付き贈答品４０Ａは、図７乃至図９に示すように、四つ足動物人形形状、例えば虎人形形状とし、且つ、座位の形態とした贈答品本体５１と、この贈答品本体５１の左前足部分に内蔵した録音スイッチ５２と、右前足部分に内蔵した再生スイッチ５３と、左後足部分に内蔵したマイク５４と、右後足部分に内蔵したスピーカ５５と、を具備している。
【００３８】
また、本実施例２に係る音声メッセージ付き贈答品４０Ａは、前記贈答品本体５１の例えば底部の内部には、贈答用の音声メッセージ（例えば既述したような「誕生日おめでとう」の音声メッセージが録音されているともに前記録音スイッチ５２、再生スイッチ５３の操作に応じて音声メッセージの録音、再生処理を繰り返し行うＩＣメモリ等を含む録音再生処理部５６、及び、必要な電力供給を行う駆動用電源５７（例えば、単３形乾電池４本構成）をファスナ５８の開閉により取り出し又は収納可能に内蔵している。
【００３９】
更に、本実施例２に係る音声メッセージ付き贈答品４０Ａは、前記贈答品本体５１の右前足で贈答用メッセージ（「誕生日おめでとう」等）を記載した紙片６１を収容する図１０にも示す基筒６０ａ及び蓋筒６０ｂからなる筒体６０を抱え込む形態とし、更に輪ゴム６２により筒体６０を右前足に止め付けている。
【００４０】
なお、前記紙片６１を筒体６０内に収納する他、筒体６０の外周に「誕生日おめでとう」等の文字を記載する構成とすることも可能である。なお、図７中、６３は、基筒６０ａ、蓋筒６０ｂ間に各々端部を固着した紐体である。
前記贈答品本体５１の底部からは、図示しない外部マイクを接続するためのマイク入力端子部７１、前記ＩＣメモリの録音データを図示しない外部スピーカに出力するための音声出力端子部７２を導出している。
【００４１】
図１１は、本実施例２に係る音声メッセージ付き贈答品４０Ａの電気回路系を示すものであり、ＩＣメモリ等を含む録音再生処理部５６に対して、前記録音スイッチ５２、再生スイッチ５３、マイク５４、スピーカ５５、マイク入力端子部７１、音声出力端子部７２を接続するとともに、前記駆動用電源５７により動作に必要な電力供給を行うように構成している。
【００４２】
本実施例２に係る音声メッセージ付き贈答品４０Ａによれば、外観形態が例えば虎人形形状で、録音再生機能を有し、且つ、「誕生日おめでとう」等の音声メッセージを予め録音した興趣に溢れ、贈答品として好適な音声メッセージ付き贈答品４０Ａを提供することができる。
【００４３】
すなわち、贈答主が既述した実施例１の音声メッセージ付き贈答品４０Ａの処理システムを利用して音声メッセージ付き贈答品４０Ａを購入し、贈答先に送ることにより、贈答先においては、前記再生スイッチ５３を操作することで何時でも「誕生日おめでとう」等の音声メッセージをスピーカ５５から聞くことができ、これにより、贈答主は音声メッセージ付き贈答品４０Ａの贈答先への贈答に伴う自己の気持ちを音声にて贈答先に伝えることができる。
また、贈答用メッセージ（「誕生日おめでとう」等）を記載した紙片６１を筒体６０に収容して贈答先に送るようにすれば、音声メッセージの他に文章にて自己の気持ちを伝えることができる。
【００４４】
一方、贈答先においては、単に前記贈答品４０Ａを受け取るだけでなく、贈答主の音声メッセージも聞けることから、前記贈答品４０Ａを受け取った際の喜び、満足感を一層享受することができる。前記贈答用メッセージ（「誕生日おめでとう」等）を記載した紙片６１が筒体６０に収容されて送られてきた場合も同様である。
【００４５】
更に、贈答先においては、音声メッセージの録音再生機能を利用して、贈答主からの音声メッセージを消去して新に自己が所望する音声メッセージを前記前記贈答品４０Ａに録音して楽しんだり、この前記贈答品４０Ａが例えば虎人形形状をしていることから置物として楽しんだりすることもできる。
【産業上の利用可能性】
【００４６】
本考案は、上述した音声メッセージ付き贈答品４０Ａを虎人形形状に構成する場合の他、猫、熊、猿、ライオン、像等の各種四つ足動物人形形状としたり、更には周知のキャラクタ人形形状等として幅広く実施可能である。
【図面の簡単な説明】
【００４７】
【図１】本考案の実施例１に係る音声メッセージ付き贈答品の処理システムの構成を示すブロック図である。
【図２】本実施例１に係る音声メッセージ付き贈答品の処理システムにおける処理の流れを示す説明図である。
【図３】本実施例１に係る音声メッセージ付き贈答品の処理システムにおける贈答品に関する贈答主データ、録音再生機能付き贈答品を特定する申込番号、贈答先データを含むメールの表示内容を示す説明図である。
【図４】本実施例１に係る音声メッセージ付き贈答品の処理システムにおける音声メッセージ案内メールの表示内容を示す説明図である。
【図５】本実施例１に係る音声メッセージ付き贈答品の処理システムにおけるアナウンス内容を示す説明図である。
【図６】本実施例１に係る音声メッセージ付き贈答品の処理システムにおける贈答主の音声メッセージ内容を示す説明図である。
【図７】本考案の実施例２に係る音声メッセージ付き贈答品の概略正面図である。
【図８】本実施例２に係る音声メッセージ付き贈答品の概略側面図である。
【図９】本実施例２に係る音声メッセージ付き贈答品の概略底面図である。
【図１０】本実施例２に係る音声メッセージ付き贈答品における贈答用メッセージを記載した紙片を収容する筒体を示す概略斜視図である。
【図１１】本実施例２に係る音声メッセージ付き贈答品における電気回路系を示すブロック図である。
【符号の説明】
【００４８】
１    贈答品処理装置
２    Ｗｅｂサーバ
３    メールサーバ
４    ユーザ登録部
５    クレジット会社端末
６    決済サーバ
７    認証処理部
８    認証データ記録部
９    アナウンスデータ送信部
１０    録音データ記録部
１１    照合部
１２    録音部
１３    発送処理部
１４    通信インターフェース
１５    電話用通信インターフェース
１６    内部通信網
２１    コンピュータ端末
２２    ＩＰ対応携帯電話
２３    一般電話
２４    携帯電話
３０    通信網
３１    インターネット網
３２    携帯電話網
３３    電話回線網
４０    録音再生機能付き贈答品
４０Ａ  音声メッセージ付き贈答品
５１    贈答品本体
５２    録音スイッチ
５３    再生スイッチ
５４    マイク
５５    スピーカ
５６    録音再生処理部
５７    駆動用電源
５８    ファスナ
６０    筒体
６０ａ  基筒
６０ｂ  蓋筒
６１    紙片
６２    輪ゴム
６３    紐体
７１    マイク入力端子部
７２    音声出力端子部
【図１】
0003127929.tif 000003
【図２】
0003127929.tif 000004
【図３】
0003127929.tif 000005
【図４】
0003127929.tif 000006
【図５】
0003127929.tif 000007
【図６】
0003127929.tif 000008
【図７】
0003127929.tif 000009
【図８】
0003127929.tif 000010
【図９】
0003127929.tif 000011
【図１０】
0003127929.tif 000012
【図１１】
0003127929.tif 000013
【手続補正書】
【提出日】平成18年10月20日(2006.10.20)
【手続補正１】
【補正対象書類名】実用新案登録請求の範囲
【補正対象項目名】全文
【補正方法】変更
【補正の内容】
【実用新案登録請求の範囲】
【請求項１】
贈答主側のコンピュータ端末と、贈答主側の電話と、贈答品管理センター側の贈答品受注処理機能、音声メッセージ録音処理機能を有する贈答品処理装置と、前記贈答主側のコンピュータ端末、電話と前記贈答品処理装置とを接続するインターネット網、電話回線網からなる通信網とを含み、贈答主から前記贈答品処理装置を介して贈答先へ録音再生機能付き贈答品を贈答処理する音声メッセージ付き贈答品の処理システムであって、
前記贈答品処理装置は、前記インターネット網を通じて贈答主側のコンピュータ端末から録音再生機能付き贈答品の注文を受注するとともに、前記電話回線網を通じて贈答主側の電話から贈答先に対する贈答主の音声メッセージを受信して、当該録音再生機能付き贈答品に対して前記贈答主の音声メッセージを録音して音声メッセージ付き贈答品として贈答先へ配送処理すること、
を特徴とする音声メッセージ付き贈答品の処理システム。
【請求項２】
贈答主側のコンピュータ端末又は携帯電話と、贈答主側の一般電話又は携帯電話と、贈答品管理センター側の贈答品受注処理機能、音声メッセージ録音処理機能を有する贈答品処理装置と、前記贈答主側のコンピュータ端末又は携帯電話、前記一般電話又は携帯電話と前記贈答品処理装置とを接続するインターネット網及び電話回線網からなる通信網とを含み、贈答主から前記贈答品処理装置を介して贈答先へ録音再生機能付き贈答品を贈答処理する音声メッセージ付き贈答品の処理システムであって、
前記贈答品処理装置は、前記インターネット網を通じて贈答主側のコンピュータ端末又は携帯電話から録音再生機能付き贈答品の注文を受注するとともに、前記電話回線網を通じて贈答主側の一般電話又は携帯電話から贈答先に対する贈答主の音声メッセージを受信して、当該録音再生機能付き贈答品に対して前記贈答主の音声メッセージを録音して音声メッセージ付き贈答品として贈答先へ配送処理すること、
を特徴とする音声メッセージ付き贈答品の処理システム。
【請求項３】
贈答主側のコンピュータ端末又はＩＰ対応携帯電話と、贈答主側の一般電話又は携帯電話と、贈答品管理センター側の贈答品受注処理機能、音声メッセージ録音処理機能を有する贈答品処理装置と、前記贈答主側のコンピュータ端末又はＩＰ対応携帯電話、前記一般電話又は携帯電話と前記贈答品処理装置とを接続するインターネット網及び電話回線網からなる通信網とを含み、贈答主から前記贈答品処理装置を介して贈答先へ録音再生機能付き贈答品を贈答処理する音声メッセージ付き贈答品の処理システムであって、
前記贈答品処理装置は、
録音再生機能付き贈答品情報を贈答主のコンピュータ端末又はＩＰ対応携帯電話に対して提供するＷｅｂサーバと、
贈答主のコンピュータ端末又はＩＰ対応携帯電話からの注文データ、贈答先データのメール受信、贈答主のコンピュータ端末又はＩＰ対応携帯電話に対する音声メッセージ案内メールの送信を行うメールサーバと、
贈答主からの前記注文データ、贈答先データを登録するユーザ登録部と、
当該贈答主に関する録音再生機能付き贈答品の代金決済処理を行う決済サーバと、
前記音声メッセージ案内メールに基づいて贈答主の一般電話又は携帯電話から送信される音声データによる贈答主の認証処理を行う認証処理部と、
認証済みの贈答主からの音声メッセージデータを記録する録音データ記録部と、
贈答主からの注文データと認証済みの贈答主からの音声メッセージデータとの照合を行う照合部と、
録音再生機能付き贈答品に対して認証済みの贈答主の音声メッセージを録音し音声メッセージ付き贈答品とする録音部と、
音声メッセージ付き贈答品の贈答先への配送処理を行う発送処理部と、
を含むことを特徴とする音声メッセージ付き贈答品の処理システム。
【請求項４】
前記贈答品は、その本体の各所に、録音スイッチ、再生スイッチ、マイク、贈答用の音声メッセージが録音されているともに前記録音スイッチ、再生スイッチの操作に応じて音声メッセージの録音、再生処理を繰り返し行う録音再生処理部、発音部及び駆動用電源を配置したことを特徴とする前記請求項１乃至３のいずれかに記載の音声メッセージ付き贈答品の処理システムに用いる音声メッセージ付き贈答品。
【請求項５】
前記贈答品は、動物人形形状とした贈答品本体の各所に、録音スイッチ、再生スイッチ、マイク、贈答用の音声メッセージが録音されているともに前記録音スイッチ、再生スイッチの操作に応じて音声メッセージの録音、再生処理を繰り返し行う録音再生処理部、発音部及び駆動用電源を配置したことを特徴とする前記請求項１乃至３のいずれかに記載の音声メッセージ付き贈答品の処理システムに用いる音声メッセージ付き贈答品。
【請求項６】
前記贈答品は、四つ足動物人形形状とした贈答品本体の左前足部分に録音スイッチ、右前足部分に再生スイッチ、左後足部分にマイク、右後足部分にスピーカを配置し、前記贈答品本体の内部に、贈答用の音声メッセージが録音されているともに前記録音スイッチ、再生スイッチの操作に応じて音声メッセージの録音、再生処理を繰り返し行う録音再生処理部、必要な電力供給を行う駆動用電源を配置したことを特徴とする前記請求項１乃至３のいずれかに記載の音声メッセージ付き贈答品の処理システムに用いる音声メッセージ付き贈答品。
【請求項７】
前記贈答品は、四つ足動物人形形状とした贈答品本体の左前足部分に録音スイッチ、右前足部分に再生スイッチ、左後足部分にマイク、右後足部分にスピーカを配置し、前記贈答品本体の内部に、贈答用の音声メッセージが録音されているともに前記録音スイッチ、再生スイッチの操作に応じて音声メッセージの録音、再生処理を繰り返し行う録音再生処理部、必要な電力供給を行う駆動用電源を配置し、前記贈答品本体の右前足で贈答用メッセージを記載した紙片を収容する筒体を抱え込んだことを特徴とする前記請求項１乃至３のいずれかに記載の音声メッセージ付き贈答品の処理システムに用いる音声メッセージ付き贈答品。
【手続補正２】
【補正対象書類名】明細書
【補正対象項目名】全文
【補正方法】変更
【補正の内容】
【考案の詳細な説明】
【技術分野】
【０００１】
本考案は、音声メッセージ付き贈答品の処理システム及び該処理システムに用いる音声メッセージ付き贈答品に関するものである。
【背景技術】
【０００２】
例えば、贈答主から贈答先へ贈答品を送る場合、通常はデパート等の販売店に赴き、贈答品を選定し、「誕生日おめでとう」等の文字を付したカード等を添えて贈答先へ送ることが行われている。
【０００３】
近年では、インターネット網等を利用し、自宅のコンピュータ端末からオンラインで販売店のコンピュータにアクセスしてオンラインショッピングの手法により贈答品を注文し贈答先へ当該贈答品を送ることも行われている。
【０００４】
特許文献１には、配送品送り主が、贈答品等の配送品に多くの情報を記録したＩＣタグを添付して配送品受取者に送るように構成した付加情報表示システムが提案されている。
しかし、この特許文献１の場合、インターネット網、電話回線網を効率的に利用し、贈答主、贈答先の双方に十分な満足度を与えることができ、システム運用側も効率よく贈答品販売を実施できるようには必ずしもなってはいない。
【０００５】
特許文献２には、小鳥人形に録音再生装置と、ペットの小鳥がつつくとき信号を発するセンサとを搭載し、センサの信号により録音再生装置に予め録音した音声を再生するように構成した小鳥用録音再生玩具が提案されている。
しかし、この特許文献２の場合、主として小鳥がつついた場合に予め録音した音声を再生するように構成したものであり、贈答先において必ずしも十分な満足度を得られるようにはなっていない。
【特許文献１】特開２００５−１７８９３８号公報
【特許文献２】特開２００２−１４２６０２号公報
【考案の開示】
【考案が解決しようとする課題】
【０００６】
本考案が解決しようとする問題点は、インターネット網、電話回線網を効率的に利用し、贈答主、贈答先の双方に十分な満足度を与えることができ、システム運用側も効率よく贈答品販売を実施できる音声メッセージ付き贈答品の処理システム、音声メッセージ付き贈答品が存在しない点である。
【課題を解決するための手段】
【０００７】
本考案に係る音声メッセージ付き贈答品の処理システムは、贈答主側のコンピュータ端末と、贈答主側の電話と、贈答品管理センター側の贈答品受注処理機能、音声メッセージ録音処理機能を有する贈答品処理装置と、前記贈答主側のコンピュータ端末、電話と前記贈答品処理装置とを接続するインターネット網、電話回線網からなる通信網とを含み、贈答主から前記贈答品処理装置を介して贈答先へ録音再生機能付き贈答品を贈答処理する音声メッセージ付き贈答品の処理システムであって、前記贈答品処理装置は、前記インターネット網を通じて贈答主側のコンピュータ端末から録音再生機能付き贈答品の注文を受注するとともに、前記電話回線網を通じて贈答主側の電話から贈答先に対する贈答主の音声メッセージを受信して、当該録音再生機能付き贈答品に対して前記贈答主の音声メッセージを録音して音声メッセージ付き贈答品として贈答先へ配送処理することを最も主要な特徴とする。
【考案の効果】
【０００８】
請求項１記載の考案によれば、贈答主においては、コンピュータ端末と電話とを効率的に使用して、自己が選定し、且つ、自己の気持ちを含ませた所望の音声メッセージ付き贈答品を贈答品管理センター側の贈答品処理装置を通じて贈答先に送ることができ、贈答先では、単に贈答品を受け取るだけでなく、贈答主の音声メッセージも聞けることから、贈答品を受け取った際の喜び、満足感を一層享受することができ、更には、贈答品処理装置を運用する贈答品管理センター側でも贈答主（ユーザ）から効率よく録音再生機能付き贈答品の注文を受注し、音声メッセージ付き贈答品として贈答先へ配送処理することができ、録音再生機能付き贈答品の売上向上を図ることができる音声メッセージ付き贈答品の処理システムを提供することができる。
【０００９】
請求項２記載の考案によれば、贈答主側のコンピュータ端末又は携帯電話と、贈答主側の一般電話又は携帯電話とを効率的に使用して、請求項１記載の考案の場合と同様、自己が選定し、且つ、自己の気持ちを含ませた所望の音声メッセージ付き贈答品を贈答品管理センター側の贈答品処理装置を通じて贈答先に送ることができ、贈答先では、単に贈答品を受け取るだけでなく、贈答主の音声メッセージも聞けることから、贈答品を受け取った際の喜び、満足感を一層享受することができ、更には、贈答品処理装置を運用する贈答品管理センター側でも贈答主（ユーザ）から効率よく録音再生機能付き贈答品の注文を受注し、音声メッセージ付き贈答品として贈答先へ配送処理することができ、録音再生機能付き贈答品の売上向上を図ることができる音声メッセージ付き贈答品の処理システムを提供することができる。
【００１０】
請求項３記載の考案によれば、贈答主側のコンピュータ端末又はＩＰ対応携帯電話と、贈答主側の一般電話又は携帯電話とを効率的に使用し、Ｗｅｂサーバ、メールサーバ、決済サーバ、認証部、録音部、発送処理部等を有する管理センター側の贈答品処理装置を通じて自己が選定し、且つ、自己の気持ちを含ませた所望の音声メッセージ付き贈答品を贈答先に送ることができ、贈答先では、単に贈答品を受け取るだけでなく、贈答主の音声メッセージも聞けることから、贈答品を受け取った際の喜び、満足感を一層享受することができ、更には、贈答品処理装置を運用する贈答品管理センター側でも贈答主（ユーザ）から効率よく録音再生機能付き贈答品の注文を受注し、音声メッセージ付き贈答品として贈答先へ配送処理することができ、録音再生機能付き贈答品の売上向上を図ることができる音声メッセージ付き贈答品の処理システムを提供することができる。
【００１１】
請求項４記載の考案によれば、前記請求項１乃至３のいずれかに記載の処理システムにおける贈答品本体の各所に、録音スイッチ、再生スイッチ、マイク、贈答用の音声メッセージが録音されているともに前記録音スイッチ、再生スイッチの操作に応じて音声メッセージの録音、再生処理を繰り返し行う録音再生処理部、発音部及び駆動用電源を配置したものであるから、贈答主は贈答先への贈答に伴う自己の気持ちを音声にて贈答先に伝えることができ、贈答先においては、単に前記贈答品を受け取るだけでなく、贈答主の音声メッセージも聞けることから、前記贈答品を受け取った際の喜び、満足感を一層享受することができる音声メッセージ付き贈答品を提供することができる。
【００１２】
請求項５記載の考案によれば、前記請求項１乃至３のいずれかに記載の処理システムにおける音声メッセージ付き贈答品を四つ足動物人形形状とした構成で、請求項４記載の考案と同様な効果を奏する音声メッセージ付き贈答品を提供することができる。
【００１３】
請求項６記載の考案によれば、前記請求項１乃至３のいずれかに記載の処理システムにおける贈答品を四つ足動物人形形状とし、この贈答品本体の左前足部分に録音スイッチ、右前足部分に再生スイッチ、左後足部分にマイク、右後足部分にスピーカを配置し、前記贈答品本体の内部に、贈答用の音声メッセージが録音されているともに前記録音スイッチ、再生スイッチの操作に応じて音声メッセージの録音、再生処理を繰り返し行う録音再生処理部、必要な電力供給を行う駆動用電源を配置した構成で、贈答主は贈答先への贈答に伴う自己の気持ちを音声にて贈答先に伝えることができ、贈答先においては、単に前記贈答品を受け取るだけでなく、贈答主の音声メッセージも聞けることから、前記贈答品を受け取った際の喜び、満足感を一層享受することができ、更に、贈答先において何時でも左前足部分に録音スイッチ、右前足部分に再生スイッチ、左後足部分にマイクを操作して自己の音声を録音再生処理部に録音し再生して楽しんだり、この贈答品本体を置物として楽しんだりすることができる音声メッセージ付き贈答品を提供することができる。
【００１４】
請求項７記載の考案によれば、請求項６記載の考案の効果に加え、贈答品本体の右前足で贈答用メッセージを記載した紙片を収容する筒体を抱え込んだ構成としているので、音声メッセージの他に文章にて贈答主の気持ちを贈答先に伝えることができる音声メッセージ付き贈答品を提供することができる。
【考案を実施するための最良の形態】
【００１５】
本考案は、インターネット網、電話回線網を効率的に利用し、贈答主、贈答先の双方に十分な満足度を与えることができ、システム運用側も効率よく贈答品販売を実施できる音声メッセージ付き贈答品の処理システムを提供するという目的を、贈答主側のコンピュータ端末又はＩＰ対応携帯電話と、贈答主側の一般電話又は携帯電話と、贈答品管理センター側の贈答品受注処理機能、音声メッセージ録音処理機能を有する贈答品処理装置と、前記贈答主側のコンピュータ端末又はＩＰ対応携帯電話、前記一般電話又は携帯電話と前記贈答品処理装置とを接続するインターネット網及び電話回線網からなる通信網とを含み、贈答主から前記贈答品処理装置を介して贈答先へ録音再生機能付き贈答品を贈答処理する音声メッセージ付き贈答品の処理システムであって、前記贈答品処理装置は、録音再生機能付き贈答品情報を贈答主のコンピュータ端末又はＩＰ対応携帯電話に対して提供するＷｅｂサーバと、贈答主のコンピュータ端末又はＩＰ対応携帯電話からの注文データ、贈答先データのメール受信、贈答主のコンピュータ端末又はＩＰ対応携帯電話に対する音声メッセージ案内メールの送信を行うメールサーバと、贈答主からの前記注文データ、贈答先データを登録するユーザ登録部と、当該贈答主に関する録音再生機能付き贈答品の代金決済処理を行う決済サーバと、前記音声メッセージ案内メールに基づいて贈答主の一般電話又は携帯電話から送信される音声データによる贈答主の認証処理を行う認証処理部と、認証済みの贈答主からの音声メッセージデータを記録する録音データ記録部と、贈答主からの注文データと認証済みの贈答主からの音声メッセージデータとの照合を行う照合部と、録音再生機能付き贈答品に対して認証済みの贈答主の音声メッセージを録音し音声メッセージ付き贈答品とする録音部と、音声メッセージ付き贈答品の贈答先への配送処理を行う発送処理部と、を含む構成により実現した。
【実施例】
【００１６】
以下に、本考案の実施例について図面を参照して詳細に説明する。
（実施例１）
図１乃至図５を参照して本考案の実施例１に係る音声メッセージ付き贈答品の処理システムについて説明する。
【００１７】
本実施例１に係る音声メッセージ付き贈答品の処理システムは、図１に示すように、例えば、詳細は後述するが例えば虎のような四つ足動物人形形状の形態とした録音再生機能付き贈答品４０を贈答先に送ることを欲する贈答主側のコンピュータ端末２１又はＩＰ（インターネット）対応携帯電話２２と、贈答主側の一般電話２３又は携帯電話２４と、この処理システムを運用する贈答品管理センター側のＣＧＩ（シージーアイ；Common Gateway Interface）対応の贈答品処理装置１と、これらの間を接続し、各種データの交信を行うインターネット網３１及び携帯電話網３２、電話回線網３３からなる通信網３０とを含んでいる。
【００１８】
前記贈答品処理装置１は、Ｗｅｂサイトを通じて各種、各形態の録音再生機能付き贈答品４０の情報を贈答主のコンピュータ端末２１又はＩＰ対応携帯電話２２に提供するＷｅｂサーバ２と、贈答主のコンピュータ端末２１又はＩＰ対応携帯電話２２からの図３に示すような贈答品４０に関する贈答主データ（氏名、住所、クレジット番号）、録音再生機能付き贈答品４０を特定する申込番号、贈答先データ（贈答先の氏名、住所等）を含む注文データのメール受信、及び贈答主のコンピュータ端末２１又はＩＰ対応携帯電話２２に対する図４に示すような音声メッセージ案内メール（指定電話番号、申込電話番号、申込番号を表示）の送信を行うメールサーバ３と、贈答主のコンピュータ端末２１又はＩＰ対応携帯電話２２からの前記贈答主データ、申込番号、贈答先データを登録するユーザ登録部４と、当該贈答主に関する録音再生機能付き贈答品４０の代金決済処理を前記クレジット番号を使用しクレジット会社のクレジット会社端末５と交信して行う決済サーバ６と、前記音声メッセージ案内メールに基づいて贈答主の一般電話２３又は携帯電話２４からの指定電話番号への電話に伴って送信される申込電話番号、申込番号のデータを受信し、この申込電話番号、申込番号と、認証データ記録部８に予め記録した申込電話番号、申込番号のデータとにより贈答主の認証処理を行う認証処理部７と、上述した認証処理の後に贈答主の一般電話２３又は携帯電話２４に、前記電話回線網３３、携帯電話網３２を介して予め記録した所定のアナウンスデータ（例えば、図５に示すように、「認証されましたので、発信音の後に音声メッセージを送信してください」等）を送信するアナウンスデータ送信部９と、認証済みの贈答主の一般電話２３又は携帯電話２４からの図６に示すような音声メッセージデータ（例えば、「誕生日おめでとう」等）を記録する録音データ記録部１０と、贈答主からの注文データと認証済みの贈答主からの音声メッセージデータとの照合を行う照合部１１と、録音再生機能付き贈答品４０に対して認証済みの贈答主の音声メッセージを録音し音声メッセージ付き贈答品４０Ａとする録音部１２と、音声メッセージ付き贈答品４０の贈答先への配送処理（伝票処理等）を行う発送処理部（発送処理端末）１３と、前記贈答品処理装置１をインターネット網３１に接続するルータ等の通信インターフェース１４と、前記贈答品処理装置１を前記電話回線網３３に接続するモデム等の電話用通信インターフェース１５と、前記贈答品処理装置１の各要素間のデータ伝送を行うＬＡＮ（ローカルエリアネットワーク）等の内部通信網１６と、を有している。
【００１９】
次に、上述した本実施例１に係る音声メッセージ付き贈答品の処理システムによる録音再生機能付き贈答品４０に関する処理の流れを図２を参照して説明する。
【００２０】
録音再生機能付き贈答品４０を贈答先に送ることを欲する贈答主は、自己のコンピュータ端末２１又はＩＰ対応携帯電話２２を使用し、インターネット網３１を介して贈答品処理装置１のＷｅｂサーバ２にアクセスしてこのＷｅｂサーバ２が提供するＷｅｂサイトを閲覧し、各種、各形態の録音再生機能付き贈答品４０の形状、値段、申込番号等の情報を参照する。
【００２１】
そして、所望の録音再生機能付き贈答品４０が存在する場合には、贈答主は、コンピュータ端末２１又はＩＰ対応携帯電話２２のメール機能を使用し、図３に示すような前記贈答品４０に関する贈答主データ（氏名、住所、クレジット番号）、録音再生機能付き贈答品４０を特定する申込番号、贈答先データ（贈答先の氏名、住所等）を含む注文データをメールにて贈答品処理装置１に送信する。この注文データは、前記メールサーバ３にて受信され、更に前記ユーザ登録部４に登録される。
【００２２】
次に、前記贈答品処理装置１の決済サーバ６は、前記クレジット番号を使用しクレジット会社のクレジット会社端末５と交信して、当該贈答主に関する録音再生機能付き贈答品４０の代金決済処理を実行する。
【００２３】
次に、前記贈答品処理装置１のメールサーバ３は、代金決済処理後、贈答主のコンピュータ端末２１又はＩＰ対応携帯電話２２に対して、図４に示すような音声メッセージ案内メール（指定電話番号、申込電話番号、申込番号を表示）をインターネット網３１を介して送信する。
【００２４】
音声メッセージ案内メールを受信した贈答主は、前記一般電話２３又は携帯電話２４を使用し、携帯電話網３２、電話回線網３３を介して前記指定電話番号に電話をかけ、更に申込電話番号、申込番号のデータをボタン操作にて送信する。
【００２５】
贈答品処理装置１の認証処理部７は、申込電話番号、申込番号のデータを受信し、この申込電話番号、申込番号と、認証データ記録部８に予め記録した申込電話番号、申込番号のデータとにより贈答主の認証処理を実行する。
【００２６】
この認証処理にて贈答主の本人認証を確認した前記贈答品処理装置１は、次に前記アナウンスデータ送信部９から、電話回線網３３、携帯電話網３２を介して前記一般電話２３又は携帯電話２４に対して、図５に示すように、「認証されましたので、発信音の後に音声メッセージを送信してください」とのアナウンスデータを送信する。
【００２７】
このアナウンスデータを受信し当該アナウンスを聞いた一般電話２３又は携帯電話２４を所有する贈答主は、自己の一般電話２３又は携帯電話２４から図６に示すような「誕生日おめでとう」等の音声メッセージデータを電話回線網３３、携帯電話網３２を介して前記贈答品処理装置１に送信する。この音声メッセージデータは前記贈答品処理装置１の録音データ記録部１０に記録される。
【００２８】
次に、前記贈答品処理装置１の照合部１１は、既述した贈答主からの注文データと、認証済みの贈答主からの前記音声メッセージデータとの照合を行い、贈答先へ配送すべき前記贈答品４０を特定する。
【００２９】
そして、録音部１２により、録音再生機能付き贈答品４０に対して認証済みの贈答主の音声メッセージ「誕生日おめでとう」を録音し音声メッセージ付き贈答品４０Ａとする。
【００３０】
また、発送処理部１３は、当該音声メッセージ付き贈答品４０Ａの贈答先への配送処理（伝票処理等）を行う。
【００３１】
以上の一連の処理により、贈答主が指定し、所望の音声メッセージを録音した音声メッセージ付き贈答品４０Ａが前記贈答品処理装置１から贈答先（例えば友人、家族、恋人等）へ届けられることになる。
【００３２】
本実施例１に係る音声メッセージ付き贈答品の処理システムによれば、以下の効果を奏する。
【００３３】
すなわち、贈答主においては、前記コンピュータ端末２１又はＩＰ対応携帯電話２２と、前記一般電話２３又は携帯電話２４とを効率的に使用して、自己が選定し、且つ、自己の気持ちを含ませた所望の音声メッセージ付き贈答品４０Ａを贈答先に送ることができる。
【００３４】
また、贈答先では、単に贈答品４０Ａを受け取るだけでなく、贈答主の音声メッセージも聞けることから、前記贈答品４０Ａを受け取った際の喜び、満足感を一層享受することができる。
【００３５】
更に、贈答品処理装置１を運用する贈答品管理センター側では、この贈答品処理装置１を構成するコンピュータシステム、インターネット網３１、電話回線網３３等を利用して、贈答主（ユーザ）から効率よく録音再生機能付き贈答品４０の注文を受注し、音声メッセージ付き贈答品４０Ａとして贈答先へ配送処理することができ、録音再生機能付き贈答品４０の売上向上を図ることができる。
【００３６】
（実施例２）
次に、前記実施例１の音声メッセージ付き贈答品の処理システムに用いられる本考案の実施例２に係る音声メッセージ付き贈答品４０Ａについて図７乃至図１１を参照して説明する。
【００３７】
本実施例２に係る音声メッセージ付き贈答品４０Ａは、図７乃至図９に示すように、四つ足動物人形形状、例えば虎人形形状とし、且つ、座位の形態とした贈答品本体５１と、この贈答品本体５１の左前足部分に内蔵した録音スイッチ５２と、右前足部分に内蔵した再生スイッチ５３と、左後足部分に内蔵したマイク５４と、右後足部分に内蔵したスピーカ５５と、を具備している。
【００３８】
また、本実施例２に係る音声メッセージ付き贈答品４０Ａは、前記贈答品本体５１の例えば底部の内部には、贈答用の音声メッセージ（例えば既述したような「誕生日おめでとう」の音声メッセージが録音されているともに前記録音スイッチ５２、再生スイッチ５３の操作に応じて音声メッセージの録音、再生処理を繰り返し行うＩＣメモリ等を含む録音再生処理部５６、及び、必要な電力供給を行う駆動用電源５７（例えば、単３形乾電池４本構成）をファスナ５８の開閉により取り出し又は収納可能に内蔵している。
【００３９】
更に、本実施例２に係る音声メッセージ付き贈答品４０Ａは、前記贈答品本体５１の右前足で贈答用メッセージ（「誕生日おめでとう」等）を記載した紙片６１を収容する図１０にも示す基筒６０ａ及び蓋筒６０ｂからなる筒体６０を抱え込む形態とし、更に輪ゴム６２により筒体６０を右前足に止め付けている。
【００４０】
なお、前記紙片６１を筒体６０内に収納する他、筒体６０の外周に「誕生日おめでとう」等の文字を記載する構成とすることも可能である。なお、図７中、６３は、基筒６０ａ、蓋筒６０ｂ間に各々端部を固着した紐体である。
前記贈答品本体５１の底部からは、図示しない外部マイクを接続するためのマイク入力端子部７１、前記ＩＣメモリの録音データを図示しない外部スピーカに出力するための音声出力端子部７２を導出している。
【００４１】
図１１は、本実施例２に係る音声メッセージ付き贈答品４０Ａの電気回路系を示すものであり、ＩＣメモリ等を含む録音再生処理部５６に対して、前記録音スイッチ５２、再生スイッチ５３、マイク５４、スピーカ５５、マイク入力端子部７１、音声出力端子部７２を接続するとともに、前記駆動用電源５７により動作に必要な電力供給を行うように構成している。
【００４２】
本実施例２に係る音声メッセージ付き贈答品４０Ａによれば、外観形態が例えば虎人形形状で、録音再生機能を有し、且つ、「誕生日おめでとう」等の音声メッセージを予め録音した興趣に溢れ、贈答品として好適な音声メッセージ付き贈答品４０Ａを提供することができる。
【００４３】
すなわち、贈答主が既述した実施例１の音声メッセージ付き贈答品４０Ａの処理システムを利用して音声メッセージ付き贈答品４０Ａを購入し、贈答先に送ることにより、贈答先においては、前記再生スイッチ５３を操作することで何時でも「誕生日おめでとう」等の音声メッセージをスピーカ５５から聞くことができ、これにより、贈答主は音声メッセージ付き贈答品４０Ａの贈答先への贈答に伴う自己の気持ちを音声にて贈答先に伝えることができる。
また、贈答用メッセージ（「誕生日おめでとう」等）を記載した紙片６１を筒体６０に収容して贈答先に送るようにすれば、音声メッセージの他に文章にて自己の気持ちを伝えることができる。
【００４４】
一方、贈答先においては、単に前記贈答品４０Ａを受け取るだけでなく、贈答主の音声メッセージも聞けることから、前記贈答品４０Ａを受け取った際の喜び、満足感を一層享受することができる。前記贈答用メッセージ（「誕生日おめでとう」等）を記載した紙片６１が筒体６０に収容されて送られてきた場合も同様である。
【００４５】
更に、贈答先においては、音声メッセージの録音再生機能を利用して、贈答主からの音声メッセージを消去して新に自己が所望する音声メッセージを前記前記贈答品４０Ａに録音して楽しんだり、この前記贈答品４０Ａが例えば虎人形形状をしていることから置物として楽しんだりすることもできる。
【産業上の利用可能性】
【００４６】
本考案は、上述した音声メッセージ付き贈答品４０Ａを虎人形形状に構成する場合の他、猫、熊、猿、ライオン、像等の各種四つ足動物人形形状としたり、更には周知のキャラクタ人形形状等として幅広く実施可能である。
【図面の簡単な説明】
【００４７】
【図１】本考案の実施例１に係る音声メッセージ付き贈答品の処理システムの構成を示すブロック図である。
【図２】本実施例１に係る音声メッセージ付き贈答品の処理システムにおける処理の流れを示す説明図である。
【図３】本実施例１に係る音声メッセージ付き贈答品の処理システムにおける贈答品に関する贈答主データ、録音再生機能付き贈答品を特定する申込番号、贈答先データを含むメールの表示内容を示す説明図である。
【図４】本実施例１に係る音声メッセージ付き贈答品の処理システムにおける音声メッセージ案内メールの表示内容を示す説明図である。
【図５】本実施例１に係る音声メッセージ付き贈答品の処理システムにおけるアナウンス内容を示す説明図である。
【図６】本実施例１に係る音声メッセージ付き贈答品の処理システムにおける贈答主の音声メッセージ内容を示す説明図である。
【図７】実施例１の音声メッセージ付き贈答品の処理システムに用いられる本考案の実施例２に係る音声メッセージ付き贈答品の概略正面図である。
【図８】実施例１の音声メッセージ付き贈答品の処理システムに用いられる本実施例２に係る音声メッセージ付き贈答品の概略側面図である。
【図９】実施例１の音声メッセージ付き贈答品の処理システムに用いられる本実施例２に係る音声メッセージ付き贈答品の概略底面図である。
【図１０】実施例１の音声メッセージ付き贈答品の処理システムに用いられる本実施例２に係る音声メッセージ付き贈答品における贈答用メッセージを記載した紙片を収容する筒体を示す概略斜視図である。
【図１１】実施例１の音声メッセージ付き贈答品の処理システムに用いられる本実施例２に係る音声メッセージ付き贈答品における電気回路系を示すブロック図である。
【符号の説明】
【００４８】
１    贈答品処理装置
２    Ｗｅｂサーバ
３    メールサーバ
４    ユーザ登録部
５    クレジット会社端末
６    決済サーバ
７    認証処理部
８    認証データ記録部
９    アナウンスデータ送信部
１０    録音データ記録部
１１    照合部
１２    録音部
１３    発送処理部
１４    通信インターフェース
１５    電話用通信インターフェース
１６    内部通信網
２１    コンピュータ端末
２２    ＩＰ対応携帯電話
２３    一般電話
２４    携帯電話
３０    通信網
３１    インターネット網
３２    携帯電話網
３３    電話回線網
４０    録音再生機能付き贈答品
４０Ａ  音声メッセージ付き贈答品
５１    贈答品本体
５２    録音スイッチ
５３    再生スイッチ
５４    マイク
５５    スピーカ
５６    録音再生処理部
５７    駆動用電源
５８    ファスナ
６０    筒体
６０ａ  基筒
６０ｂ  蓋筒
６１    紙片
６２    輪ゴム
６３    紐体
７１    マイク入力端子部
７２    音声出力端子部